(57)【要約】【課題】圧縮袋内部の隅々にまで防虫剤成分を揮散させることにより、ダニなどの害虫の増殖を抑え、衣類や布団などを長期に亘り保管することができる圧縮袋を提供する。【解決手段】合成樹脂製シート２により袋状に形成され、内部に衣類や布団などを収納して密閉し、内部を脱気することにより減容する圧縮袋１であって、合成樹脂製シート２は、少なくとも２層以上の多層構造であるとともに、最外方の層２ａ以外のいずれかの層に防虫剤が含浸されている。【選択図】図１
2011152929.tif 000002
【特許請求の範囲】
【請求項１】
合成樹脂製シートにより袋状に形成され、内部に衣類や布団などを収納して密閉し、内部を脱気することにより減容する圧縮袋であって、
上記合成樹脂製シートは、少なくとも２層以上の多層構造であるとともに、最外方の層以外のいずれかの層に防虫剤が含浸されていることを特徴とする圧縮袋。
【請求項２】
上記防虫剤が含浸された層は、上記最外方の層よりも空気を通しやすい合成樹脂製シートにより形成され、かつ上記防虫剤が含浸された層より内方に上記防虫剤を揮散する層が設けられていることを特徴とする請求項１に記載の圧縮袋。
【請求項３】
上記防虫剤を揮散する層は、上記最外方の層よりも空気を通しやすく、かつ上記防虫剤が含浸された層よりも空気を通し難い合成樹脂製シートにより形成された揮散抑制層であることを特徴とする請求項２に記載の圧縮袋。
【請求項４】
上記防虫剤を含浸された層は、多層構造の上記合成樹脂製シートの最内方に配置されていることを特徴とする請求項１に記載の圧縮袋。
【請求項５】
上記防虫剤は、サリチル酸フェニルであることを特徴する請求項１〜４のいずれか１項に記載の圧縮袋。
【発明の詳細な説明】
【技術分野】
【０００１】
本発明は、押し入れなどに長期間保管する際に、布団や衣服などが嵩張らないように圧縮して保管するための圧縮袋に関するものである。
【背景技術】
【０００２】
従来から、季節毎の衣替えや掛け布団の入れ替えなどの際には、特に冬物衣料や冬掛け布団などが嵩張るため、収納場所を確保するのに手こずったり、上手く収納出来なかったりと手間が掛かっていた。そのため、嵩張る衣料や布団を効率良く収納する商品が、色々と開発され巷間に出回っている。例えば、嵩張る衣料や布団を圧縮して、コンパクトに収納するための圧縮袋も、その一つである。
【０００３】
この圧縮袋は、嵩張る衣料や布団などを合成樹脂製のシートからなる袋に入れて密閉し、内部の空気を掃除器などで抜き取ることにより圧縮するものである。そのため、今まで収納場所を占領していた冬物衣料や冬掛け布団などをコンパクトにして、収納することができる。しかも、誰でも手軽に扱うことができ、安価に売られている。
【０００４】
しかし、上記圧縮袋を衣替え用の衣服や季節毎に入れ替える布団などに使用する場合には、保管期間が長いため、収納の際に布団や衣服に寄生したダニなどの害虫が増殖し、布団や衣服を蝕んでしまうという問題がある。
【０００５】
そこで、上記従来の圧縮袋の内部に、防虫剤を入れる方法がある。例えば、下記特許文献１においては、被収納物を配位した後に、内部を脱気することができる合成樹脂製の袋体の収納部内に、この収納部の対向する正面部と背面部の内面に当接可能な平板状の押圧板を設け、この押圧板にブロック状、シート状あるいは小袋に収納された状態の防虫剤を配位する圧縮袋が提案されている。
【０００６】
この従来の圧縮袋は、衣類や布団などを圧縮し、押し入れなどに長期間保管した場合には、防虫剤の効果により、ダニなどの害虫の増殖を抑え、衣類や布団などの虫食い被害を低減することが可能である。
【先行技術文献】
【特許文献】
【０００７】
【特許文献１】特開２００９−０２３７００号公報
【発明の概要】
【発明が解決しようとする課題】
【０００８】
ところが、この従来の圧縮袋は、ブロック状またはシート状あるいは小袋に収納された状態の防虫剤を１〜２個程度、圧縮袋の収納部に設けられた押圧板に分散して配位するため、当該収納部内を脱気して衣類または布団を圧縮し、圧縮袋を減容させてしまうと、防虫剤の効果が当該収納部の隅々にまで届かず、当該収納部の端部において、ダニなどの害虫が増殖してしまうという問題がある。
【０００９】
また、圧縮袋の収納部の上記押圧板に配位された防虫剤は、衣類または布団と密着した状態で圧縮され、そのまま保管されるため、特にブロック状または小袋に収納された防虫剤を用いた場合には、保管期間が長期になるほど衣類や布団に防虫剤の跡が残ってしまうという問題もある。さらに、防虫剤と衣類または布団と密着した部分に、揮散した防虫剤の成分が局所的に染みこみ、衣類や布団を痛めてしまうという問題もある。
【００１０】
本発明は、かかる事情に鑑みてなされたもので、圧縮袋内部の隅々にまで防虫剤成分を揮散させることにより、ダニなどの害虫の増殖を抑え、衣類や布団などを長期に亘り保管することができる圧縮袋を提供することを課題とするものである。
【課題を解決するための手段】
【００１１】
上記課題を解決するために、請求項１に記載の発明は、合成樹脂製シートにより袋状に形成され、内部に衣類や布団などを収納して密閉し、内部を脱気することにより減容する圧縮袋であって、上記合成樹脂製シートは、少なくとも２層以上の多層構造であるとともに、最外方の層以外のいずれかの層に防虫剤が含浸されていることを特徴とするものである。
【００１２】
また、請求項２に記載の発明は、請求項１に記載の発明において、上記防虫剤が含浸された層は、上記最外方の層よりも空気を通しやすい合成樹脂製シートにより形成され、かつ上記防虫剤が含浸された層より内方に上記防虫剤を揮散する層が設けられていることを特徴とするものである。
【００１３】
そして、請求項３に記載の発明は、請求項２に記載の発明において、上記防虫剤を揮散する層は、上記最外方の層よりも空気を通しやすく、かつ上記防虫剤が含浸された層よりも空気を通し難い合成樹脂製シートにより形成された揮散抑制層であることを特徴とするものである。
【００１４】
さらに、請求項４に記載の発明は、請求項１に記載の発明において、上記防虫剤を含浸された層は、多層構造の上記合成樹脂製シートの最内方に配置されていることを特徴とするものである。
【００１５】
また、請求項５に記載の発明は、請求項１〜４のいずれか１項に記載の発明において、上記防虫剤は、サリチル酸フェニルであることを特徴するものである。
【発明の効果】
【００１６】
請求項１〜５に記載の本発明によれば、圧縮袋本体を合成樹脂製シートにより形成し、この合成樹脂製シートを少なくとも２層以上の多層構造にするとともに、最外方の層以外のいずれかの層に防虫剤が含浸されているため、圧縮袋を脱気することにより衣類や布団を圧縮し、当該圧縮袋を減容させても、防虫剤を含浸した合成樹脂製シートにより隅々まで防虫効果を行き渡らせることができるとともに、防虫剤成分の局所的な揮散を防止することができる。この結果、圧縮袋に入れた衣類や布団を圧縮し、長期に亘り押し入れなどで保管した場合でも、ダニなどの害虫の増殖を抑え、衣類や布団の虫食いの被害を無くすことができるとともに、圧縮袋内に防虫剤成分を均一に揮散させ、衣類や布団の繊維を傷めることがない。
【００１７】
また、防虫剤を含浸させた合成樹脂製シートの表面が平坦面であるため、圧縮袋を脱気して衣類や布団を圧縮し、長期間保管した場合でも、衣類や布団に凹凸痕などの跡を付けることがない。このため、圧縮袋にクリーニング済みの衣類などを入れて圧縮し、押し入れなどで保管することができる。
【００１８】
請求項２に記載の発明によれば、上記防虫剤が含浸された層が、最外方の層よりも空気を通しやすい合成樹脂製シートにより形成されているため、上記最内方の層に含浸された防虫剤が徐々に圧縮袋の内部に揮散される。この結果、圧縮袋を脱気して衣類や布団を圧縮し、押し入れなどで長期間保管した場合でも、防虫剤の効果を長期に亘り持続させることができる。また、上記防虫剤が含浸された層よりも内方に、上記防虫剤を揮散する層が設けられているため、上記防虫剤が含浸された層を直接衣類や布団に接触させることがない。これにより、デリケートな素材の衣類や布団にも使用することができる。
【００１９】
請求項３に記載の発明によれば、上記防虫剤を揮散する層が、上記最外方の層よりも空気を通しやすく、かつ上記防虫剤が含浸された層よりも空気を通し難いい合成樹脂製シートにより形成された揮散抑制層であるため、上記防虫剤が含浸された層の防虫剤成分の揮散される量を調整することができる。この結果、防虫剤成分の量を多く含浸させて、適量を揮散させることでき、長期に亘り防虫効果を持続させることができる。
【００２０】
請求項４に記載の発明によれば、上記防虫剤が含浸された層が、多層構造の上記合成樹脂製シートの最内方に配置されているため、圧縮袋を脱気して衣類や布団を圧縮しても、防虫剤の有効成分が、圧縮された衣類や布団の間まで浸透し、衣類や布団の隙間に寄生していたダニなどの害虫の増速を抑えることができる。これにより、押し入れや箪笥の中に長期間の保管することができる。
【００２１】
請求項５に記載の発明によれば、上記防虫剤が、サリチル酸フェニルであるため、ダニなどの害虫の増殖を抑えることができるとともに、紫外線を吸収することができる。この結果、圧縮袋を脱気して衣類や布団を圧縮し、長期間保管した場合でも、ダニなどの害虫による虫食いの被害を無くすことができるとともに、紫外線による衣類や布団の退色や劣化を防止することができる。
【図面の簡単な説明】
【００２２】
【図１】本発明の圧縮袋の一実施形態を示し、（ａ）はＡ−Ａ断面図、（ｂ）は平面図である。
【図２】本発明の圧縮袋の他の実施形態を示し、（ａ）はＡ−Ａ断面図、（ｂ）は平面図である。
【発明を実施するための形態】
【００２３】
図１は、本発明の圧縮袋の一実施形態を示し、図２は、図１の変形例を示すものである。
図１（ｂ）および図２（ｂ）に示すように、本発明の圧縮袋１は、合成樹脂製シート２を袋状に形成し、衣類や布団などを出し入れする開口部３と、この開口部３を開閉可能にするスライドファスナ４と、このスライドファスナ４により密閉した圧縮袋１の内部を脱気するとともに、外部の空気の流入を防ぐ逆止弁５とを備えて概略構成されている。
【００２４】
また、一実施形態に用いられる合成樹脂製シート２は、図１（ａ）に示すように、多層構造（図では、２層）により形成され、圧縮袋１の内側の層（最内方の層）２ｂには、ポリエチレンシートが用いられ、サリチル酸フェニルを含浸した防虫剤が含浸された層２１となっている。さらに、外側の層（最外方の層）２ａには、空気を通さないナイロンシートが用いられている。そして、内側の層２ｂと外側の層２ａとが、接着剤により圧着されている。
【００２５】
一方、一実施形態の変形例に用いられる合成樹脂製シート２は、図２（ａ）に示すように、多層構造（図では、３層）により形成され、圧縮袋１の内方の層２ｃが２層に形成されている。この内方の層２ｃは、共にポリエチレンシートが用いられ、接着剤により圧着されているとともに、外方側の層にサリチル酸フェニルを含浸した防虫剤が含浸された層２１が配置され、内方側の層（防虫剤を揮散する層）２ｄに防虫剤に揮散を抑制する揮散抑制層２２が配置されている。
【００２６】
さらに、外側の層（最外方の層）２ａには、空気を通さないナイロンシートが用いられている。そして、内側の層２ｃと外側の層２ａとが、接着剤により圧着されている。なお、２層からなる内方の層２ｃは、揮散抑制層２２に用いられるポリエチレンシートが、防虫剤が含浸された層２１に用いられるポリエチレンシートよりも、空気を通し難いものになっている。
【００２７】
以上の構成による本実施形態の圧縮袋１を用いて、衣類や布団を圧縮し保管するためには、まず圧縮袋１の開口部３に設けられているスライドファスナ４をスライドさせ、開口部３を開く。そして、開口部３から圧縮袋１内部に、衣類または布団などを入れる。次いで、開口部３に設けられたスライドファスナ４をスライドさせ、開口部３を閉じて圧縮袋１を密閉する。
【００２８】
次に、圧縮袋１に設けられている逆止弁５から、掃除器などを使って、圧縮袋１の内部の空気を抜いて脱気する。この脱気により、内部の衣類や布団が圧縮され圧縮袋１は減容する。この際に、衣類や布団と接する合成樹脂製シート２の表面が平坦であるため、衣類や布団には、凹凸痕などの跡が付かない。
【００２９】
そして、押し入れや箪笥の中に保管する。この保管の際には、図１（ａ）の本実施形態においては、圧縮袋１の合成樹脂製シート２の内側の層２ｂに含浸されているサリチル酸フェニルが、内側の層２ｂから揮散して、この内側の層２ｂに包まれている衣類や布団に隈無く行き渡るため、圧縮袋１内に入れた衣類や布団に、ダニなどの害虫が寄生されていても、上記サリチル酸フェニルの防虫効果により、ダニなどの害虫の増殖が抑制される。
【００３０】
一方、図２（ａ）の本実施形態の変形例においては、圧縮袋１の合成樹脂製シート２の内方の層２ｃの外方側に配置された防虫剤が含浸された層２１に含浸されているサリチル酸フェニルが、内方側の層２ｄに配置されている揮散抑制層２２を通り、上記サリチル酸フェニルの量が抑制されながら揮散して、この揮散抑制層２２に包まれている衣類や布団に隈無く行き渡るため、長期間に亘り防虫効果を維持することができる。これにより、圧縮袋１に入れた衣類や布団をワンシーズンだけでなく、繰り返し使用することが可能となる。
【００３１】
ここで、発明者らが行った実験により、上記サリチル酸フェニルの防虫効果を具体的に説明するが、本発明はこれに限定されるものではない。
【００３２】
［実験例］：増殖抑制試験
防虫剤成分を含浸させた布団圧縮袋二つと、防虫剤成分を含浸させてない布団圧縮袋一つとを使用して、コナヒョウヒダニの増殖抑制率を調べた。増殖抑制試験は、（財）日本環境衛生センターの試験室Ｃにて行われ、コナヒョウヒダニ増殖培地をそれぞれ圧縮袋に入れて、所定日数後の生ダニの数を調べる方法により行われた。
【００３３】
＜試験方法＞
まず、下記の三つの圧縮袋を用意する。
布団圧縮袋Ａ  （防虫剤：安息香酸ベンジル）
布団圧縮袋Ｂ  （防虫剤：サリチル酸フェニル）
対照布団圧縮袋（防虫剤：なし）
次いで、コナヒョウヒダニ増殖培地を１０００匹／ｇに調整する。
そして、ポリエチレン製（３８０メッシュ）の布で作成した１０×５ｃｍの袋内に、コナヒョウヒダニ増殖培地を０．１ｇ入れ、直ちにシーラーで加熱封入して、コナヒョウヒダニが脱出できないようにする。
【００３４】
次に、コナヒョウヒダニ増殖培地を０．１ｇ入れた上記袋を、布団の代用として脱脂綿（約３６×５８ｃｍ、約２０ｇ）の間に３個並べて挟み、各々の検体入れ、脱脂綿がつぶれない程度に上から押し付けて空気を抜いて密閉する。これを試験区ごとに２個用意する。
そして、各々の上記検体を、温度２５℃前後、飽和食塩水で相対温度を調整した条件下で保存し、２周および４周後に、各々の上記検体から、コナヒョウヒダニ増殖培地を０．１ｇ入れた上記袋を取り出して、その中の生ダニ数を実体顕微鏡下において計算する。このときに、著しく生ダニ数が多い場合には、含水率１２％培地で適宜希釈し、その一定量中の生ダニ数を計算する。計算した結果が表１である。
【００３５】
【表１】
2011152929.tif 000003
【００３６】
この試験では、各試験区の反復は２回とし、各試験区の生ダニ数の平均から下記の式によって増殖抑制率（％）が求められる。下記の式により求められた増殖抑制率（％）を表２にまとめた。
【式１】
【００３７】
2011152929.tif 000004
【００３８】
【表２】
2011152929.tif 000005
【００３９】
表２の結果から、安息香酸ベンジルを含浸させた布団圧縮袋Ａでの増殖抑制率は、２週後で８９．４％、４週後で７３．８％であった。一方、サリチル酸フェニルを含浸させた布団袋Ｂでの増殖抑制率は、２週、４週後ともに１００％であった。これにより、サリチル酸フェニルを含浸させた本発明の圧縮袋は、増殖抑制効果が期待できるものであることがわかる。
【００４０】
上述の実施形態による圧縮袋によれば、圧縮袋１本体を合成樹脂製シート２により形成し、この合成樹脂製シート２を少なくとも２層以上の多層構造にするとともに、最外方の層２ａ以外のいずれかの層に防虫剤が含浸されているため、圧縮袋１を脱気することにより衣類や布団を圧縮し、圧縮袋１を減容させても、防虫剤が含浸された層２１により隅々まで防虫効果を行き渡らせることができるとともに、防虫剤成分の局所的な揮散を防止することができる。この結果、圧縮袋１に入れた衣類や布団を圧縮し、長期に亘り押し入れなどで保管した場合でも、ダニなどの害虫の増殖を抑え、衣類や布団の虫食いの被害を無くすことができるとともに、圧縮袋１内に防虫剤成分を均一に揮散させ、衣類や布団の繊維を傷めることがない。
【００４１】
また、防虫剤が含浸された層２１及び揮散抑制層２２の表面が平坦面であるため、圧縮袋１を脱気して衣類や布団を圧縮し、長期間保管した場合でも、衣類や布団に凹凸痕などの跡を付けることがない。このため、圧縮袋１にクリーニング済みの衣類などを入れて圧縮し、押し入れなどで保管することができる。
【００４２】
そして、防虫剤が含浸された層２１が、最外方の層２ａよりも空気を通しやすい合成樹脂製シートにより形成されているため、最内方の層２ｂに含浸された防虫剤が徐々に圧縮袋の内部に揮散される。この結果、圧縮袋１を脱気して衣類や布団を圧縮し、押し入れなどで長期間保管した場合でも、防虫剤の効果を長期に亘り持続させることができる。また、防虫剤が含浸された層２１よりも内方に、防虫剤を揮散する層２ｄが設けられているため、防虫剤が含浸された層２１を直接衣類や布団に接触させることがない。これにより、デリケートな素材の衣類や布団にも使用することができる。
【００４３】
さらに、防虫剤を揮散する層２ｄが、最外方の層２ａよりも空気を通しやすく、かつ防虫剤が含浸された層２１よりも空気を通し難いい合成樹脂製シートにより形成された揮散抑制層２２であるため、防虫剤が含浸された層２１の防虫剤成分の揮散される量を調整することができる。この結果、防虫剤成分の量を多く含浸させて、適量を揮散させることができ、長期に亘り防虫効果を持続させることができる。
【００４４】
また、防虫剤が含浸された層２１が、多層構造の合成樹脂製シート２の最内方に配置されているため、圧縮袋１を脱気して衣類や布団を圧縮しても、防虫剤の有効成分が、圧縮された衣類や布団の間まで浸透し、衣類や布団の隙間に寄生していたダニなどの害虫の増速を抑えることができる。これにより、押し入れや箪笥の中に長期間の保管することができる。
【００４５】
そして、上記防虫剤が、サリチル酸フェニルであるため、上記実験例１に示すように、ダニなどの害虫の増殖を抑えることができる。また、上記防虫剤にサリチル酸フェニルを用いることにより、紫外線を吸収することができる。この結果、圧縮袋１を脱気して衣類や布団を圧縮し、押し入れなどで長期間保管した場合でも、ダニなどの害虫による虫食いの被害を無くすことができるとともに、紫外線による衣類や布団の退色や劣化を防止することができる。
【００４６】
なお、上記実施の形態において、合成樹脂製シート２を２層または３層の多層構造を用いる場合のみ説明したが、これに限定されるものではなく、例えば、４層または５層に積層した多層構造でも対応可能である。
【産業上の利用可能性】
【００４７】
衣服や布団などを圧縮して保管する圧縮袋に利用することができる。
【符号の説明】
【００４８】
１  圧縮袋  
２  合成樹脂製シート
２ａ  最外方の層（外側の層）
２ｂ  最内方の層（内側の層）
２ｃ  内方の層
２ｄ  防虫剤を揮散する層（内方側の層）
３  開口部
４  スライドファスナ
５  逆止弁
２１  防虫剤が含浸された層
２２  揮散抑制層
【図１】
2011152929.tif 000006
【図２】
2011152929.tif 000007